(57)【要約】【課題】広帯域無線接続システムにおいて移動局がハンドオーバーに必要な物理チャネルの品質を一層効率的に測定し、その結果を基地局に伝送するための隣接基地局スキャニング方法を提供する。【解決手段】無線通信システムでチャネル品質を評価するために周辺基地局をスキャニングする方法において少なくとも一つの周辺基地局と関連した情報をサービング基地局から受信する段階と、移動局からサービング基地局に要請されたスキャン区間と要請された少なくとも一つの周辺基地局をスキャニングする反復回数と関連した要請されたスキャン反復とを含むスキャニング要請メッセージを伝送する段階と、サービング基地局から許容されたスキャン区間と許容された少なくとも一つの周辺基地局をスキャニングする反復回数と関連した許容されたスキャン反復とを含むスキャニング応答メッセージを受信する段階とを含んで周辺基地局スキャニング方法を構成する。【選択図】図５
2008502204.tif 000002
【特許請求の範囲】
【請求項１】
無線通信システムでチャネル品質を評価するために周辺基地局をスキャニングする方法において、
少なくとも一つの周辺基地局と関連した情報をサービング基地局から受信する段階と、
移動局から前記サービング基地局に、要請されたスキャン区間と、要請された少なくとも一つの周辺基地局をスキャニングする反復回数と関連した要請されたスキャン反復とを含むスキャニング要請メッセージを伝送する段階と、
前記サービング基地局から、許容されたスキャン区間と、許容された少なくとも一つの周辺基地局をスキャニングする反復回数と関連した許容されたスキャン反復とを含むスキャニング応答メッセージを受信する段階と、を含む周辺基地局スキャニング方法。
【請求項２】
前記スキャニング要請メッセージは、各スキャン間の要請された時間区間と関連した要請された一般機能遂行区間をさらに含むことを特徴とする請求項１に記載の周辺基地局スキャニング方法。
【請求項３】
前記スキャニング応答メッセージは、各スキャン間の許容された時間区間と関連した許容された一般機能遂行区間をさらに含むことを特徴とする請求項１に記載の周辺基地局スキャニング方法。
【請求項４】
前記許容された各一般機能遂行区間の間に、前記サービング基地局と移動局が一般機能モードにあることを特徴とする請求項３に記載の周辺基地局スキャニング方法。
【請求項５】
前記移動局が前記サービング基地局に、前記許容されたスキャン区間の間に任意のデータを伝送する場合、前記少なくとも一つの周辺基地局のスキャニングが終了することを特徴とする請求項１に記載の周辺基地局スキャニング方法。
【請求項６】
前記要請されたスキャン区間は、前記移動局が前記少なくとも一つの周辺基地局のスキャニングを開始及び終了する要請された時間区間と関連したものであることを特徴とする請求項１に記載の周辺基地局スキャニング方法。
【請求項７】
前記許容されたスキャン区間は、前記移動局が前記少なくとも一つの周辺基地局のスキャニングを開始及び終了する許容された時間区間と関連したものであることを特徴とする請求項１に記載の周辺基地局スキャニング方法。
【請求項８】
前記サービング基地局からのスキャニング応答メッセージは、前記サービング基地局への前記移動局の報告回数と関連したスキャン報告モードをさらに含むことを特徴とする請求項１に記載の周辺基地局スキャニング方法。
【請求項９】
前記スキャン報告モードは、（１）報告なし、（２）周期的な報告、（３）測定時ごとに報告のうち何れか一つを含むことを特徴とする請求項８に記載の周辺基地局スキャニング方法。
【請求項１０】
前記移動局は、前記スキャン報告モードにしたがって前記サービング基地局にスキャン報告を伝送することを特徴とする請求項８に記載の周辺基地局スキャニング方法。
【請求項１１】
前記許容されたスキャン区間及び前記許容されたスキャン反復は、前記要請されたスキャン区間、前記要請されたスキャン反復及びネットワークロードにしたがって前記サービング基地局によって決定されることを特徴とする請求項１に記載の周辺基地局スキャニング方法。
【請求項１２】
無線通信システムでチャネル品質を評価するために周辺基地局をスキャニングする方法において、
少なくとも一つの周辺基地局と関連した情報をサービング基地局から受信する段階と、
前記サービング基地局から、スキャン区間と、少なくとも一つの周辺基地局をスキャニングする反復回数と関連したスキャン反復とを含むスキャニング応答メッセージを受信する段階と、を含む周辺基地局スキャニング方法。
【請求項１３】
前記スキャニング応答メッセージは、各スキャン間の時間区間と関連した一般機能遂行区間をさらに含むことを特徴とする請求項１２に記載の周辺基地局スキャニング方法。
【請求項１４】
前記各一般機能遂行区間の間に、前記サービング基地局と移動局が一般機能モードにあることを特徴とする請求項１３に記載の周辺基地局スキャニング方法。
【請求項１５】
前記許容されたスキャン区間は、前記移動局が前記少なくとも一つの周辺基地局のスキャニングを開始及び終了する時間区間と関連したものであることを特徴とする請求項１２に記載の周辺基地局スキャニング方法。
【請求項１６】
前記サービング基地局からのスキャニング応答メッセージは、前記サービング基地局への報告回数と関連したスキャン報告モードをさらに含むことを特徴とする請求項１２に記載の周辺基地局スキャニング方法。
【請求項１７】
前記スキャン報告モードは、（１）報告なし、（２）周期的な報告、（３）測定時ごとに報告のうち何れか一つを含むことを特徴とする請求項１６に記載の周辺基地局スキャニング方法。
【請求項１８】
無線通信システムでチャネル品質を評価するために周辺基地局をスキャニングする方法において、
少なくとも一つの周辺基地局と関連した情報を移動局に伝送する段階と、
サービング基地局から、許容されたスキャン区間と、許容された少なくとも一つの周辺基地局をスキャニングする反復回数と関連した許容されたスキャン反復とを含むスキャニング応答メッセージを伝送する段階と、を含む周辺基地局スキャニング方法。
【請求項１９】
前記スキャニング応答メッセージ伝送前に、移動局から前記サービング基地局に、要請されたスキャン区間と、要請された少なくとも一つの周辺基地局をスキャニングする反復回数と関連した要請されたスキャン反復とを含むスキャニング要請メッセージを受信する段階をさらに含むことを特徴とする請求項１８に記載の周辺基地局スキャニング方法。
【請求項２０】
前記スキャニング要請メッセージは、各スキャン間の要請された時間区間と関連した要請された一般機能遂行区間をさらに含むことを特徴とする請求項１９に記載の周辺基地局スキャニング方法。
【請求項２１】
前記スキャニング応答メッセージは、各スキャン間の許容された時間区間と関連した許容された一般機能遂行区間をさらに含むことを特徴とする請求項１９に記載の周辺基地局スキャニング方法。
【請求項２２】
前記許容された各一般機能遂行区間の間に、前記サービング基地局と移動局が一般機能モードにあることを特徴とする請求項２１に記載の周辺基地局スキャニング方法。
【請求項２３】
前記移動局が前記サービング基地局に、前記許容されたスキャン区間の間に任意のデータを伝送する場合、前記少なくとも一つの周辺基地局のスキャニングが終了することを特徴とする請求項１９に記載の周辺基地局スキャニング方法。
【請求項２４】
前記要請されたスキャン区間は、前記移動局が前記少なくとも一つの周辺基地局のスキャニングを開始及び終了する時間区間と関連したものであることを特徴とする請求項１８に記載の周辺基地局スキャニング方法。
【請求項２５】
前記許容されたスキャン区間は、前記移動局が前記少なくとも一つの周辺基地局のスキャニングを開始及び終了する時間区間と関連したものであることを特徴とする請求項１８に記載の周辺基地局スキャニング方法。
【請求項２６】
前記サービング基地局からのスキャニング応答メッセージは、前記サービング基地局への前記移動局の報告回数と関連したスキャン報告モードをさらに含むことを特徴とする請求項１８に記載の周辺基地局スキャニング方法。
【請求項２７】
前記スキャン報告モードは、（１）報告なし、（２）周期的な報告、（３）測定時ごとに報告のうち何れか一つを含むことを特徴とする請求項２６に記載の周辺基地局スキャニング方法。
【請求項２８】
前記移動局は、前記スキャン報告モードにしたがって前記サービング基地局にスキャン報告を伝送することを特徴とする請求項２６に記載の周辺基地局スキャニング方法。
【請求項２９】
前記許容されたスキャン区間及び前記許容されたスキャン反復は、前記要請されたスキャン区間、前記要請されたスキャン反復及びネットワークロードにしたがって前記サービング基地局によって決定されることを特徴とする請求項１８に記載の周辺基地局スキャニング方法。
【請求項３０】
無線通信システムでチャネル品質を評価するために周辺基地局をスキャニングするように構成された移動局において、
少なくとも一つの周辺基地局と関連した情報をサービング基地局から受信する手段と、
移動局から前記サービング基地局に、要請されたスキャン区間と、要請された少なくとも一つの周辺基地局をスキャニングする反復回数と関連した要請されたスキャン反復とを含むスキャニング要請メッセージを伝送する手段と、
前記サービング基地局から、許容されたスキャン区間と、許容された少なくとも一つの周辺基地局をスキャニングする反復回数と関連した許容されたスキャン反復とを含むスキャニング応答メッセージを受信する手段と、含む移動局。
【請求項３１】
前記スキャニング要請メッセージは、各スキャン間の要請された時間区間と関連した要請された一般機能遂行区間をさらに含む請求項３０に記載の移動局。
【請求項３２】
前記スキャニング応答メッセージは、各スキャン間の許容された時間区間と関連した許容された一般機能遂行区間をさらに含むことを特徴とする請求項３０に記載の移動局。
【請求項３３】
前記要請されたスキャン区間は、前記移動局が前記少なくとも一つの周辺基地局のスキャニングを開始及び終了する許容された時間区間と関連したものであることを特徴とする請求項３０に記載の移動局。
【請求項３４】
前記許容されたスキャン区間は、前記移動局が前記少なくとも一つの周辺基地局のスキャニングを開始及び終了する許容された時間区間と関連したものであることを特徴とする請求項３０に記載の移動局。
【請求項３５】
前記サービング基地局からのスキャニング応答メッセージは、前記サービング基地局への前記移動局の報告回数と関連したスキャン報告モードをさらに含むことを特徴とする請求項３０に記載の移動局。
【請求項３６】
前記スキャン報告モードは、（１）報告なし、（２）周期的な報告、（３）測定時ごとに報告のうち何れか一つを含むことを特徴とする請求項３５に記載の移動局。
【請求項３７】
無線通信システムでチャネル品質を評価するために周辺基地局をスキャニングするように構成された移動局において、
少なくとも一つの周辺基地局と関連した情報をサービング基地局から受信する手段と、
前記サービング基地局から、スキャン区間と、少なくとも一つの周辺基地局をスキャニングする反復回数と関連したスキャン反復とを含むスキャニング応答メッセージを受信する手段と、を含むことを特徴とする移動局。
【請求項３８】
前記スキャニング応答メッセージは、各スキャン間の時間区間と関連した許容された一般機能遂行区間をさらに含むことを特徴とする請求項３７に記載の移動局。
【請求項３９】
前記スキャン区間は、前記移動局が前記少なくとも一つの周辺基地局のスキャニングを開始及び終了する時間区間と関連したものであることを特徴とする請求項３７に記載の移動局。
【請求項４０】
前記サービング基地局からのスキャニング応答メッセージは、前記サービング基地局への前記移動局の報告回数と関連したスキャン報告モードをさらに含むことを特徴とする請求項３７に記載の移動局。
【請求項４１】
前記スキャン報告モードは、（１）報告なし、（２）周期的な報告、（３）測定時ごとに報告のうち何れか一つを含むことを特徴とする請求項４０に記載の移動局。
【請求項４２】
無線通信システムでチャネル品質を評価するために周辺基地局をスキャニングするように構成された基地局において、
少なくとも一つの周辺基地局と関連した情報を移動局に伝送する手段と、
サービング基地局から、許容されたスキャン区間と、許容された少なくとも一つの周辺基地局をスキャニングする反復回数と関連した許容されたスキャン反復とを含むスキャニング応答メッセージを伝送する手段と、を含む基地局。
【請求項４３】
前記スキャニング応答メッセージ伝送前に、移動局から前記サービング基地局に、要請されたスキャン区間と、要請された少なくとも一つの周辺基地局をスキャニングする反復回数と関連した要請されたスキャン反復とを含むスキャニング要請メッセージを受信する手段をさらに含むことを特徴とする請求項４２に記載の基地局。
【請求項４４】
前記スキャニング要請メッセージは、各スキャン間の要請された時間区間と関連した要請された一般機能遂行区間をさらに含むことを特徴とする請求項４３に記載の基地局。
【請求項４５】
前記スキャニング応答メッセージは、各スキャン間の許容された時間区間と関連した許容された一般機能遂行区間をさらに含むことを特徴とする請求項４３に記載の基地局。
【請求項４６】
前記要請されたスキャン区間は、前記移動局が前記少なくとも一つの周辺基地局のスキャニングを開始及び終了する時間区間と関連したものであることを特徴とする請求項４２に記載の基地局。
【請求項４７】
前記許容されたスキャン区間は、前記移動局が前記少なくとも一つの周辺基地局のスキャニングを開始及び終了する時間区間と関連したものであることを特徴とする請求項４２に記載の基地局。
【請求項４８】
前記サービング基地局からのスキャニング応答メッセージは、前記サービング基地局への前記移動局の報告回数と関連したスキャン報告モードをさらに含むことを特徴とする請求項４２に記載の基地局。
【請求項４９】
前記スキャン報告モードは、（１）報告なし、（２）周期的な報告、（３）測定時ごとに報告のうち何れか一つを含むことを特徴とする請求項４８に記載の基地局。
【発明の詳細な説明】
【技術分野】
【０００１】
本発明は、無線接続システムに関するもので、具体的に、無線接続システムにおける周辺基地局のスキャニング方法に関するものである。
【背景技術】
【０００２】
ＩＥＥＥ８０２．１６ｅシステムは、広帯域無線接続システムに対する国際標準化の一部である。ＩＥＥＥ８０２．１６ｅのシステムは、既存の第２世代または第３世代移動通信システムとは異なって、ＨＬＲ、ＶＬＲ、ＭＳＣ、ＢＳＣ、ＲＮＣなどの階層的構造を備えておらず、移動局（Ｍｏｂｉｌｅ  Ｓｕｂｓｃｒｉｂｅｒ  Ｓｔａｔｉｏｎ；ＭＳＳ）と、基地局（Ｂａｓｅ  Ｓｔａｔｉｏｎ；ＢＳ）と、認証管理サーバー（Ａｕｔｈｅｎｔｉｃａｓｔｉｏｎ  Ｓｅｒｖｉｃｅ  Ａｕｔｈｏｒｉｚａｔｉｏｎ  Ｓｅｒｖｅｒ；以下‘ＡＳＡサーバー'という）と、を含んで構成される。基地局と移動局との間には、共通した物理（Ｐｈｙｉｃａｌ；以下、‘ＰＨＹ'という）階層及び接続制御（Ｍｅｄｉｕｍ  Ａｃｃｅｓｓ  Ｃｏｎｔｒｏｌ；以下、‘ＭＡＣ'という）階層を定義している。
【０００３】
図１は、広帯域無線接続システムにおいて、データ平面でのハンドオーバー動作を示す説明図である。
【０００４】
図２は、広帯域無線接続システムにおいて、制御平面でのハンドオーバー動作を示す説明図である。
【０００５】
以下、広帯域無線接続システムにおけるハンドオーバー遂行過程を、図１及び図２に基づいて説明する。
【０００６】
１．ハンドオーバーのための前処理過程
ハンドオーバーのための前処理過程には、周辺基地局と関連した情報を基地局で放送し、セル内の全ての移動局に知らせる過程が含まれる。また、前記前処理過程は、この情報に基づいて隣接基地局のチャネル品質を測定する過程を含む。また、基地局と周辺基地局との間において、初期移動局の電力値、同期のための時間差値などのパラメーターを合せる過程を含む。
【０００７】
ａ．ネットワークトポロジー広告
ネットワークトポロジー広告過程において、基地局は、網構成と関連した情報をＭＯＢ＿ＮＢＲ−ＡＤＶ  ＭＡＣメッセージを通してセル内の全ての移動局に放送することで、セル内の全ての移動局に周辺基地局の情報を知らせる。
【０００８】
ｂ．周辺基地局スキャニング
周辺基地局スキャニング過程において、移動局は、ハンドオーバーのために周辺基地局をスキャニングする。そして、周辺基地局をスキャニングするためのスキャニング周期をＭＯＢ＿ＳＣＮ−ＲＥＱ  ＭＡＣメッセージを通して基地局に要請する。そうすると、前記基地局は、これに対する応答としてＭＯＢ＿ＳＣＮ−ＲＳＰ  ＭＡＣメッセージを伝送し、移動局が周辺基地局をスキャニングできる周期を割り当てる。また、基地局は、移動局の要請なしに、直接ＭＯＢ＿ＳＣＮ＿ＲＳＰ  ＭＡＣメッセージを伝送することもできる。このとき、基地局が割り当てるスキャニング周期及びスキャニング開始のためのオフセット単位は、全てフレーム単位で割り当てられる。
【０００９】
ｃ．連合過程
連合過程において、移動局は、基地局とレンジング（Ｒａｎｇｉｎｇ）過程を行ってセルに正常に合わせる。前記レンジング過程は、移動局が基地局から通信のための基本的な情報を獲得する過程である。すなわち、移動局が基地局をスキャニングして新しい基地局を選択すると、前記連合過程を行う。移動局と基地局は、ＲＮＧ＿ＲＥＱ  ＭＡＣメッセージを伝送し、移動局の電力オフセット値及びタイミングオフセット値などを適切な値に設定する。ＲＮＧ＿ＲＥＱ  ＭＡＣメッセージを伝送することを、初期レンジング（Ｉｎｉｔｉａｌ  Ｒａｎｇｉｎｇ）動作という。これは、移動局がネットワーク進入過程を行うための基本動作となる。ハンドオーバー時に新しい移動局を受け入れたターゲット基地局は、特定の移動局が自身のセルに連合された事項を、移動局が以前に属していたサービング基地局に伝送し、移動局に関する情報を保存する。
【００１０】
２．ハンドオーバー過程
ハンドオーバー過程においては、前記ハンドオーバー前処理過程で獲得した隣接基地局とのチャネル品質情報に基づいて、移動局がハンドオーバーを開始する。
【００１１】
ａ．セル選択
図３は、広帯域無線接続システムにおいて、移動局のセル選択過程を示したフローチャートである。
【００１２】
セル選択動作は、移動局がセルに正常に登録する前に、移動局が現在セルの基地局から伝送する信号の信号対干渉雑音比（Ｓｉｇｎａｌ  ｔｏ  Ｉｎｔｅｒｆｅｒｅｎｃｅ  Ｎｏｉｓｅ  Ｒａｔｉｏ；以下、‘ＳＩＮＲ'という）より優れた信号のＳＩＮＲを受信できる基地局に新しく登録するためにセルを変える動作である。このとき、移動局が登録過程を行っていないため、基地局では、移動局の移動状況を知らない状態となる。
【００１３】
ｂ．ハンドオーバー開始
ハンドオーバー開始は、基地局及び移動局の全てが行える。すなわち、基地局がハンドオーバーを要請する場合は、基地局がＭＯＢ＿ＢＳＨＯ−ＲＥＱ  ＭＡＣメッセージを移動局に伝送する。一方、移動局がハンドオーバーを要請する場合は、ＭＯＢ＿ＭＳＳＨＯ−ＲＥＱ  ＭＡＣメッセージを移動局が基地局に伝送する。
【００１４】
移動局がＭＯＢ＿ＭＳＳＨＯ−ＲＥＱ  ＭＡＣメッセージを伝送する場合は、まず、移動局は、前記ＭＯＢ＿ＭＳＳＨＯ−ＲＥＱ  ＭＡＣメッセージが現在のサービング基地局に伝送されるために、周辺基地局から受信した信号のＳＩＮＲを前記基地局に伝送する。現在のサービング基地局は、ハンドオーバーを行うためのターゲット基地局として候補基地局を選択する。
【００１５】
基地局が移動局からＭＯＢ＿ＭＳＳＨＯ−ＲＥＱ  ＭＡＣメッセージを受信したり、基地局が移動局をハンドオーバーさせるためにＭＯＢ＿ＢＳＨＯ−ＲＥＱ  ＭＡＣメッセージを伝送する前に、周辺基地局から特定の移動局をハンドオーバーさせるための受信確認信号（Ａｃｋｎｏｗｌｅｄｇｅｍｅｎｔ；以下、‘ＡＣＫ'という）を確認した後、移動局のハンドオーバーを許容する。ＭＯＢ＿ＢＳＨＯ／ＭＳＳＨＯ−ＲＥＱメッセージを受信した移動局または基地局は、ＭＯＢ＿ＭＳＳＨＯ／ＢＳＨＯ−ＲＳＰ  ＭＡＣメッセージを伝送し、ハンドオーバーを行うターゲット基地局を知らせる。
【００１６】
ｃ．ハンドオーバー取り消し
移動局または基地局がハンドオーバーを行うために、ＭＯＢ＿ＭＳＳＨＯ／ＢＳＨＯ−ＲＥＱ  ＭＡＣメッセージを伝送した後、移動局は、ハンドオーバーを取り消すことができる。このとき、移動局は、ＭＯＢ＿ＨＯ−ＩＮＤ  ＭＡＣメッセージの特定フィールドをセッティング（ＨＯ＿Ｔｙｐｅ＝０１）して基地局に伝送し、これを受信した基地局は、現在進行中のハンドオーバーを取り消す。
【００１７】
ｄ．ハンドオーバー終了
移動局は、ＭＯＢ＿ＨＯ−ＩＮＤ  ＭＡＣメッセージをサービング基地局に伝送してハンドオーバーが正常に完了したことを知らせ、ハンドオーバー動作を完了する。このとき、移動局は、ＭＯＢ＿ＨＯ−ＩＮＤ  ＭＡＣメッセージの特定フィールドをセッティング（ＨＯ  Ｔｙｐｅ＝００）し、正常にハンドオーバーが終了したことをサービング基地局に伝送する。基地局は、移動局からＭＯＢ＿ＨＯ−ＩＮＤ  ＭＡＣメッセージを受信し、直ちにハンドオーバーを行った移動局に割り当てられたＭＡＣ状態マシンを終了する。また、前記サービング基地局は、自動再伝送要求（Ａｕｔｏｍａｔｉｃ  Ｒｅｑｅａｔ  Ｒｅｑｕｅｓｔ；ＡＲＱ）連結及びデータ伝送と関連した全ての連結を終了する。
【００１８】
ｅ．ハンドオーバー拒絶
移動局は、基地局が勧告したハンドオーバーを拒絶することができる。このとき、移動局は、ＭＯＢ＿ＨＯ−ＩＮＤ  ＭＡＣメッセージの特定フィールドをセッティング（ＨＯ  Ｔｙｐｅ＝１０）して基地局に伝送する。基地局は、移動局から拒絶メッセージを受信すると、ターゲット基地局を再び把握し、移動局にＭＯＢ_ＢＳＨＯ-ＲＳＰメッセージを再伝送する。
【００１９】
３．隣接基地局スキャニング手順
図４は、従来の隣接基地局スキャニング方法を示したフローチャートである。図４に示すように、移動局と連結されたサービング基地局は、隣接基地局に対する情報を基地局領域内の全ての移動局に放送する。
【００２０】
前記隣接基地局に対する情報は、ＭＯＢ−ＮＢＲ−ＡＤＶメッセージを通して伝達される。表１は、ＭＯＢ−ＮＢＲ−ＡＤＶメッセージの構成を示した一例である。
【００２１】
【表１】
2008502204.tif 000003
表１に示すように、ＭＯＢ−ＮＢＲ−ＡＤＶメッセージには、隣接基地局の個数、隣接基地局の識別因子、隣接基地局で使用する周波数、隣接基地局のチャネル情報などが含まれる。
【００２２】
このメッセージを受信した移動局は、サービング基地局から伝送されるデータ受信を一時中断し、隣接基地局からのチャネル品質測定のための時間を獲得するためのＭＯＢ−ＳＣＮ−ＲＥＱメッセージを基地局に伝送する。表２は、ＭＯＢ−ＳＣＮ−ＲＥＱメッセージの構成を示した一例である。
【００２３】
【表２】
2008502204.tif 000004
移動局が隣接基地局のチャネル品質を測定する間、サービング基地局は、移動局へのデータの送信を中断し、移動局が要請したスキャニング時間以後にデータを伝送する。サービング基地局は、前記ＭＯＢ-ＳＣＮ-ＲＥＱに対する応答としてＭＯＢ-ＳＣＮ-ＲＳＰメッセージを前記移動局に伝送する。表３は、ＭＯＢ-ＳＣＮ-ＲＥＱメッセージの構成を示した一例である。
【００２４】
【表３】
2008502204.tif 000005
前記ＭＯＢ−ＳＣＮ−ＲＥＱメッセージに示すように、基地局は、移動局が要請したスキャニング時間（Ｓｃａｎ  Ｄｕｒａｔｉｏｎ）を保障し、移動局は、開始フレーム（Ｓｔａｒｔ  Ｆｒａｍｅ）時間の間待ってから基地局スキャニングを開始する。
【発明の開示】
【発明が解決しようとする課題】
【００２５】
上記のような従来の周辺基地局スキャニング方法によると、いくつかの問題点及び不利な点がある。移動中の移動局は、基地局から断絶のないサービス提供を受けるために、ハンドオーバーを開始することができる。また、基地局は、負荷の均衡のために移動局にハンドオーバーを命令することができる。この場合、移動局は、ハンドオーバー遂行可否を決定するために、隣接基地局に対するスキャニングを行う。したがって、ハンドオーバーが必要である場合、持続的に隣接基地局をスキャニングすべきである。しかしながら、従来の方法によると、移動局は、隣接基地局をスキャニングしてチャネル品質情報を得るために、毎回スキャニング要請メッセージを伝送し、これによるスキャニング応答メッセージを受信しなければならない。したがって、制限された無線資源を継続的に占有するとともに、メッセージ送受信に必要な移動局の電力が不要に消耗されるという問題があった。
【００２６】
本発明は、上記のような従来の問題点を本質的に解決するためのもので、無線接続システムにおける周辺基地局スキャニング方法に関するものである。
【００２７】
本発明の目的は、広帯域無線接続システムにおいて、移動局がハンドオーバーに必要な物理チャネルの品質を一層効率的に測定し、その結果を基地局に伝送するための隣接基地局スキャニング方法を提供することにある。
【００２８】
本発明の追加的な長所、目的及び特徴は、以下の詳細な説明に基づいて前記技術分野の通常の技術を有する者に明らかになるか、または、発明の実施を通して理解可能になる。本発明の特徴及び長所は、添付の図面のみならず、発明の詳細な説明及び特許請求の範囲を通して一層具体化されるだろう。
【課題を解決するための手段】
【００２９】
上記目的を達成するための本発明の一実施形態として、無線通信システムでチャネル品質を評価するために周辺基地局をスキャニングする方法は、少なくとも一つの周辺基地局と関連した情報をサービング基地局から受信する段階と、移動局から前記サービング基地局に、要請されたスキャン区間と、要請された少なくとも一つの周辺基地局をスキャニングする反復回数と関連した要請されたスキャン反復とを含むスキャニング要請メッセージを伝送する段階と、から構成される。また、前記サービング基地局から、許容されたスキャン区間と、許容された少なくとも一つの周辺基地局をスキャニングする反復回数と関連した許容されたスキャン反復とを含むスキャニング応答メッセージを受信する段階を含む。
【００３０】
前記スキャニング要請メッセージは、各スキャン間の要請された時間区間と関連した要請された一般機能遂行区間をさらに含むことが好ましい。前記スキャニング応答メッセージは、各スキャン間の許容された時間区間と関連した許容された一般機能遂行区間をさらに含むことが好ましい。
【００３１】
前記許容された各一般機能遂行区間の間に、前記サービング基地局と移動局は、一般機能モードにあることが好ましい。前記移動局が前記サービング基地局に、前記許容されたスキャン区間の間に任意のデータを伝送する場合、前記少なくとも一つの周辺基地局のスキャニングが終了することが好ましい。
【００３２】
前記要請されたスキャン区間は、前記移動局が前記少なくとも一つの周辺基地局のスキャニングを開始及び終了する要請された時間区間と関連したものであることが好ましい。前記許容されたスキャン区間は、前記移動局が前記少なくとも一つの周辺基地局のスキャニングを開始及び終了する許容された時間区間と関連したものであることが好ましい。
【００３３】
前記サービング基地局からのスキャニング応答メッセージは、前記サービング基地局への前記移動局の報告回数と関連したスキャン報告モードをさらに含む。前記スキャン報告モードは、（１）報告なし、（２）周期的な報告、（３）測定時ごとに報告のうち何れか一つを含む。前記移動局は、前記スキャン報告モードにしたがって前記サービング基地局にスキャン報告を伝送することが好ましい。
【００３４】
前記許容されたスキャン区間及び前記許容されたスキャン反復は、前記要請されたスキャン区間、前記要請されたスキャン反復及びネットワークロードにしたがって前記サービング基地局によって決定されることが好ましい。
【００３５】
本発明の他の実施形態として、無線通信システムでチャネル品質を評価するために周辺基地局をスキャニングする方法は、少なくとも一つの周辺基地局と関連した情報をサービング基地局から受信する段階と、前記サービング基地局から、スキャン区間と、少なくとも一つの周辺基地局をスキャニングする反復回数と関連したスキャン反復とを含むスキャニング応答メッセージを受信する段階と、を含む。
【００３６】
本発明のさらに他の実施形態として、無線通信システムでチャネル品質を評価するために周辺基地局をスキャニングする方法は、少なくとも一つの周辺基地局と関連した情報を移動局に伝送する段階と、サービング基地局から、許容されたスキャン区間と、許容された少なくとも一つの周辺基地局をスキャニングする反復回数と関連した許容されたスキャン反復とを含むスキャニング応答メッセージを伝送する段階と、を含む。前記スキャニング応答メッセージ伝送前に、移動局から前記サービング基地局に、要請されたスキャン区間と、要請された少なくとも一つの周辺基地局をスキャニングする反復回数と関連した要請されたスキャン反復とを含むスキャニング要請メッセージを受信する段階をさらに含むことが好ましい。
【００３７】
本発明の上記の目的や他の目的、特徴、観点及び利点は、添付の図面と一緒に、以下の本発明の詳細な説明によって一層明確になるだろう。本発明に対する以上の一般的な説明及び以下の詳細な説明は、例示的なものであり、以下、請求された発明を一層詳細しく説明する。
【産業上の利用可能性】
【００３８】
本発明は、広帯域無線接続システムに適用することができる。
【発明を実施するための最良の形態】
【００３９】
以下、本発明の好適な実施の形態について、添付の図面に基づいて詳細に説明する。図面において、同一か類似した部分を示す参照符号には、同一の参照符号を与えている。
【００４０】
一実施形態において、周辺基地局のチャネル品質測定のためのスキャニングを行うための要請がサービング基地局に伝送される。移動局は、周期的にスキャニングを行えるように、スキャニングを行う周期及びスキャニングを行う反復回数に対する情報を基地局に伝送する。周期的に周辺基地局に対するスキャニングを行う場合、前記スキャニングを行う周期は、各スキャニング遂行区間の間の時間、すなわち、移動局と基地局との間にデータを伝送する一般機能遂行区間と同一である。したがって、以下では、スキャニングを行う周期を、一般機能遂行区間で表現する。前記一般機能遂行区間の間に、前記移動局とサーング基地局はトラフィックデータを送受信する。
【００４１】
移動局で測定されるチャネル品質情報は、周辺基地局から受信する信号対雑音比（ＳＩＮＲ）、ビットエラー率、サービスの品質識別子及びその他の情報などを含む。表４は、本発明に係るスキャニング要請メッセージ（スキャン要請メッセージ）の構成を示した一例である。
【００４２】
【表４】
2008502204.tif 000006
表４に示すように、移動局は、スキャニング要請メッセージを使用して、基地局に周期的なスキャニング遂行のための情報を伝送する。前記スキャニング要請メッセージは、スキャニング区間の大きさ（Ｓｃａｎ  Ｄｕｒａｔｉｏｎ）、スキャニング開始時間（Ｓｔａｒｔ  Ｆｒａｍｅ）、反復されるスキャニング回数（Ｓｃａｎ  Ｉｔｅｒａｔｉｏｎ）及び一般機能遂行区間（Ｉｎｔｅｒｌｅａｖｉｎｇ  Ｉｎｔｅｒｖａｌ）に関する情報を含む。
【００４３】
移動局からスキャニング区間要請メッセージを受信した基地局は、これに対する応答としてスキャニング応答メッセージを移動局に伝送する。表５は、本発明に係るスキャニング応答メッセージの構成を示した一例である。
【００４４】
【表５】
2008502204.tif 000007
表５に示すように、基地局は、移動局のスキャニング要請メッセージに対する応答として、スキャニング応答メッセージを移動局に伝送する。スキャニング応答メッセージは、許容するスキャニング区間の大きさ（Ｓｃａｎ  Ｄｕｒａｔｉｏｎ）、スキャニング開始時間（Ｓｔａｒｔ  Ｆｒａｍｅ）、反復されるスキャニング回数（Ｓｃａｎ  Ｉｔｅｒａｔｉｏｎ）及び一般機能遂行区間（Ｉｎｔｅｒｌｅａｖｉｎｇ  Ｉｎｔｅｒｖａｌ）に対する情報を含む。
【００４５】
移動局は、基地局から伝送されたスキャニング応答メッセージに含まれた情報に基づいて、周期的に隣接基地局のチャネル品質を測定する。基地局が移動局に知らせるスキャニング区間の大きさ（Ｓｃａｎ  Ｄｕｒａｔｉｏｎ）、スキャニング開始時間（Ｓｔａｒｔ  Ｆｒａｍｅ）、スキャニング反復回数（Ｓｃａｎ  Ｉｔｅｒａｔｉｏｎ）、一般機能遂行区間（Ｉｎｔｅｒｌｅａｖｉｎｇ  Ｉｎｔｅｒｖａｌ）に対する情報は、移動局の要請による応答として伝送されることもある。また、基地局が移動局に知らせるスキャニング区間の大きさ（Ｓｃａｎ  Ｄｕｒａｔｉｏｎ）、スキャニング開始時間（Ｓｔａｒｔ  Ｆｒａｍｅ）、スキャニング反復回数（Ｓｃａｎ  Ｉｔｅｒａｔｉｏｎ）、一般機能遂行区間（Ｉｎｔｅｒｌｅａｖｉｎｇ  Ｉｎｔｅｒｖａｌ）に対する情報は、基地局が移動局の要請なしに伝送することもできる。
【００４６】
図５は、本発明の一実施形態によって隣接基地局スキャニング方法を示したフローチャートである。図５に示すように、一実施形態として、移動局５１０が第１〜第３一般機能遂行区間５５５，５６５，５７５と関連した周辺基地局、すなわち、第２基地局５３０及び第３基地局５４０のチャネル品質を測定するスキャニング区間の間に、移動局５１０に伝送されるべきデータが発生すると、第１基地局（サービング基地局）５２０は、移動局５１０にデータを伝送せず、一旦基地局に保存する。そして、前記サービング基地局５２０は、移動局５１０が周辺基地局５３０，５４０に対してスキャニングを行わない区間、すなわち、一般機能遂行区間に保存されたデータを伝送する。
【００４７】
他の実施形態として、データ伝送時間が長くなり、新しく開始される移動局５１０のスキャニング開始時間までデータの伝送が完了しない場合、サービング基地局５２０は、スキャニング開始時間を無視して継続的にデータを伝送することもできる。また、移動局５１０のスキャニング開始時間に合せてデータ伝送を止めることもできる。この場合、移動局５１０のスキャニング区間が終了すると、前記データ伝送を再び開始することができる。
【００４８】
また、サービング基地局５２０が移動局５１０のスキャニング開始時間を無視してデータを継続的に伝送する場合、移動局５１０は、サービング基地局５２０からスキャニング応答メッセージを通して割り当てられたスキャニング区間、一般機能遂行区間、スキャニング反復回数がこれ以上有効でないと判断し、これ以上スキャニングをしないこともある。また、移動局５１０のスキャニング区間の間、サービング基地局５２０がスキャニング区間を無視して継続的にデータ伝送を行う場合、一旦サービング基地局５２０からデータを受信し、未だに行っていない反復回数だけスキャニング過程を行える。また、サービング基地局５２０のデータ伝送の間に継続的にスキャニングし、最初にサービング基地局５２０から割り当てられた全体スキャニング区間（スキャニング区間の大きさ×スキャニング反復回数）の間スキャニングを行うこともできる。
【００４９】
また、前記サービング基地局５２０は、ハンドオーバーを行う必要性があるかを判断するために、移動局５１０のスキャニングを通して獲得した周辺（ターゲット）基地局のチャネル品質測定結果を用いることができる。この場合、サービング基地局５２０は、移動局５１０がハンドオーバーを行う必要性があるかを判断するために、移動局５１０に周辺基地局のチャネル品質測定を要請することができる。前記サービング基地局５２０は、前記サービング基地局５２０のネットワーク負荷調節を目的として、移動局５１０にハンドオーバー遂行を命令することができる。
【００５０】
また、サービング基地局５２０の移動局５１０へのチャネル品質測定要請は、サービング基地局５２０の必要によって発生する。この場合、前記要請を受けた移動局５１０は、周辺基地局とのチャネル品質を測定した結果（チャネル品質測定結果）を、測定を要請したサービング基地局５２０に伝送する。例えば、移動局５１０は、要請されたスキャン反復、一般機能遂行区間及びスキャン周期を含むパラメーターをサービング基地局５２０に伝送することが好ましい。サービング基地局５２０は、サービング基地局５２０のスケジューリングとデータバッファー特性とを組み合せるために前記受信された各パラメーターを用いることができる。また、サービング基地局５２０は、前記各パラメーターを変更することもできる。前記チャネル品質測定結果の伝送は、測定時点や周期とは関係なしに周期的に報告することができる。また、前記チャネル品質測定結果は、移動局５１０でチャネル品質を測定する時ごとに報告することもできる。移動局５１０の測定結果報告方法は、基地局５２０または移動局５１０で選択する。
【００５１】
表６は、前記選択に関する情報を含むスキャニング応答メッセージの一例を示したものである。
【００５２】
【表６】
2008502204.tif 000008
移動局は、サービング基地局から受信したスキャニング応答メッセージの識別子によって、チャネル品質測定結果を測定する時ごとに報告することもできる。また、移動局は、サービング基地局から受信したスキャニング応答メッセージの識別子によって、チャネル品質測定結果を周期的に報告することもできる。周期的に測定結果を報告する場合は、別途に測定結果報告周期を設定することができる。また、移動局は、チャネル品質測定結果を報告しないこともある。
【００５３】
一実施形態として、移動局は、サービング基地局から受信したスキャニング応答メッセージに対する確認メッセージを必ず送る必要はない。例えば、移動局がサービング基地局の命令内容と異なる動作を行う場合、サービング基地局は、スキャニング応答メッセージが誤って伝達されたと判断し、必要によって再びスキャニング応答メッセージを伝送する。
【００５４】
一方、移動局がターゲット基地局をスキャニングし、その結果をサービング基地局に報告する手順を行う途中、ターゲット基地局から新しくスキャニング及び報告を要求するメッセージを受信すると、現在の全てのスキャニング及び報告手順を無視し、新しいメッセージによってスキャニング及び報告手順を行うことができる。
【００５５】
周期的に反復されるスキャニング区間とデータ送受信可能な一般機能遂行区間の集合は、サービング基地局の要請によっていつでも中断される。サービング基地局が上記のような中断を要請する場合、前記サービング基地局は、表５に示したスキャニング応答メッセージ内の特定領域（Ｓｃａｎ  Ｄｕｒａｔｉｏｎ、Ｉｎｔｅｒｌｅａｖｉｎｇ  Ｉｎｔｅｒｖａｌ、Ｓｃａｎ  Ｉｔｅｒａｔｉｏｎ）を特定の値、例えば、０値で埋めて知らせることができる。前記反復されるスキャニング区間とデータ送受信可能な一般機能遂行区間の集合は、移動局の要請によってもいつでも中断される。このために、移動局は、表４に示したスキャニング要請メッセージ内の特定領域（Ｓｃａｎ  Ｄｕｒａｔｉｏｎ、Ｉｎｔｅｒｌｅａｖｉｎｇ  Ｉｎｔｅｒｖａｌ、Ｓｃａｎ  Ｉｔｅｒａｔｉｏn）を特定の値、例えば、０値で埋めて知らせることができる。
【００５６】
一実施形態として、無線通信システムでチャネル品質を評価するために周辺基地局をスキャニングする方法は、少なくとも一つの周辺基地局と関連した情報をサービング基地局から受信する段階と、移動局から前記サービング基地局に、要請されたスキャン区間と、要請された少なくとも一つの周辺基地局をスキャニングする反復回数と関連した要請されたスキャン反復とを含むスキャニング要請メッセージを伝送する段階と、を含んで構成される。また、前記サービング基地局から、許容されたスキャン区間と、許容された少なくとも一つの周辺基地局をスキャニングする反復回数と関連した許容されたスキャン反復とを含むスキャニング応答メッセージを受信する段階と、を含む。
【００５７】
前記スキャニング要請メッセージは、各スキャン間の要請された時間区間と関連した要請された一般機能遂行区間をさらに含むことが好ましい。前記スキャニング応答メッセージは、各スキャン間の許容された時間区間と関連した許容された一般機能遂行区間をさらに含むことが好ましい。
【００５８】
前記許容された各一般機能遂行区間の間に、前記サービング基地局と移動局は、一般機能モードにあることが好ましい。前記移動局が前記サービング基地局に、前記許容されたスキャン区間の間に任意のデータを伝送する場合、前記少なくとも一つの周辺基地局のスキャニングが終了されることが好ましい。
【００５９】
前記要請されたスキャン区間は、前記移動局が前記少なくとも一つの周辺基地局のスキャニングを開始及び終了する要請された時間区間と関連したものであることが好ましい。前記許容されたスキャン区間は、前記移動局が前記少なくとも一つの周辺基地局のスキャニングを開始及び終了する許容された時間区間と関連したものであることが好ましい。
【００６０】
前記サービング基地局からのスキャニング応答メッセージは、前記サービング基地局への前記移動局の報告回数と関連したスキャン報告モードをさらに含む。前記スキャン報告モードは、（１）報告なし、（２）周期的な報告、（３）測定時ごとに報告のうち何れか一つを含むことが好ましい。前記移動局は、前記スキャン報告モードにしたがって前記サービング基地局にスキャン報告を伝送することが好ましい。
【００６１】
前記許容されたスキャン区間及び前記許容されたスキャン反復は、前記要請されたスキャン区間、前記要請されたスキャン反復及びネットワークロードにしたがって前記サービング基地局によって決定されることが好ましい。
【００６２】
他の実施形態として、無線通信システムでチャネル品質を評価するために周辺基地局をスキャニングする方法は、少なくとも一つの周辺基地局と関連した情報をサービング基地局から受信する段階と、前記サービング基地局から、スキャン区間と、少なくとも一つの周辺基地局をスキャニングする反復回数と関連したスキャン反復とを含むスキャニング応答メッセージを受信する段階と、を含む。
【００６３】
さらに他の実施形態として、無線通信システムでチャネル品質を評価するために周辺基地局をスキャニングする方法は、少なくとも一つの周辺基地局と関連した情報を移動局に伝送する段階と、サービング基地局で許容されたスキャン区間と、許容された少なくとも一つの周辺基地局をスキャニングする反復回数と関連した許容されたスキャン反復とを含むスキャニング応答メッセージを伝送する段階と、を含む。また、前記スキャニング応答メッセージの伝送前に、移動局から前記サービング基地局に、要請されたスキャン区間と、要請された少なくとも一つの周辺基地局をスキャニングする反復回数と関連した要請されたスキャン反復とを含むスキャニング要請メッセージを受信する段階をさらに含むことが好ましい。
【００６４】
したがって、移動局は、スキャニング要請メッセージ及びスキャニング応答メッセージを反復的に送信及び受信せず、広帯域無線接続システムで周辺基地局のスキャニングを行う。
【００６５】
本発明は、本発明の精神及び必須的な特徴から逸脱しない範囲で、他の特定の形態で具体化されうることは、当業者にとって自明である。したがって、上記の詳細な説明は、全ての面で制限的に解析されてはならなく、例示的なものとして考慮されるべきである。本発明の範囲は、添付の特許請求の範囲の合理的な解析によって決定されるべきで、本発明の等価的範囲内での全ての変更は、本発明の範囲に含まれる。
【図面の簡単な説明】
【００６６】
【図１】広帯域無線接続システムにおいて、データ平面でのハンドオーバー動作を示す説明図である。
【図２】広帯域無線接続システムにおいて、制御平面でのハンドオーバー動作を示す説明図である。
【図３】広帯域無線接続システムにおいて、移動局のセル選択過程を示したフローチャートである。
【図４】隣接基地局スキャニング方法を示したフローチャートである。
【図５】本発明の一実施形態によって隣接基地局スキャニング方法を示したフローチャートである。
【符号の説明】
【００６７】
５１０  移動局
５２０  第１基地局
５３０  第２基地局
５４０  第３基地局
【図１】
2008502204.tif 000009
【図２】
2008502204.tif 000010
【図３】
2008502204.tif 000011
【図４】
2008502204.tif 000012
【図５】
2008502204.tif 000013
【国際調査報告】
2008502204.tif 000014
2008502204.tif 000015
2008502204.tif 000016